(57)【要約】【課題】  雑排水配管の塞がりや床フトコロへの納りなどの問題を解消し得るようにする。【解決手段】  共用排水縦管２の直近に複数の接続口５を有する排水配管ヘッダー６を接続し、排水配管ヘッダー６の各接続口５に複数のフレキシブルな枝管１１をそれぞれ接続すると共に、共用排水縦管２から最も離れた排水配管ヘッダー６の接続口５に接続されるフレキシブルな枝管１１に対しドルゴ通気弁２０を接合するようにしている。【選択図】        図１
2006214243.tif 000002
【特許請求の範囲】
【請求項１】
共用排水縦管の直近に複数の接続口を有する排水配管ヘッダーを接続し、該排水配管ヘッダーの各接続口に複数のフレキシブルな枝管をそれぞれ接続すると共に、共用排水縦管から最も離れた排水配管ヘッダーの接続口に接続されたフレキシブルな枝管に対してドルゴ通気弁を接合したことを特徴とする住宅の雑排水配管構造。
【請求項２】
前記排水配管ヘッダーと、複数のフレキシブルな前記枝管と、前記ドルゴ通気弁とを予め組立ててユニット化した雑排水配管ユニットを設け、該雑排水配管ユニットの排水配管ヘッダーおよびフレキシブルな前記枝管を、建築現場でそれぞれ共用排水縦管および各雑排水源へ接続可能となるよう構成したことを特徴とする請求項１記載の住宅の雑排水配管構造。
【発明の詳細な説明】
【技術分野】
【０００１】
この発明は、住宅の雑排水配管構造に関するものである。
【背景技術】
【０００２】
住宅内には、キッチン流し台や、洗面台、ユニットバス、洗濯機防水パンなどの各種の雑排水源が設けられる。一方、住宅内には共用排水縦管が設けられる。そして、これら各雑排水源からの雑排水を共用排水縦管へ排出させるための雑排水配管構造が必要となる。
【０００３】
従来、集合住宅に対し、排水配管作業を効率的に行うために、共用排水縦管に接続可能な本管と、この本管に接続可能な複数の可撓性の枝管とを予めユニット化したものが存在している（例えば、特許文献１参照）。
【特許文献１】特開平１１−６１８０号公報
【発明の開示】
【発明が解決しようとする課題】
【０００４】
しかしながら、上記特許文献１に記載された住宅の雑排水配管構造では、排水が一度に合流することによる本管や枝管の塞がりが生じた場合の対策や、本管の口径が大きくなることによる床下への納りの悪さに対する対策を備えていないという問題があった。
【課題を解決するための手段】
【０００５】
上記課題を解決するために、請求項１に記載された発明では、共用排水縦管の直近に複数の接続口を有する排水配管ヘッダーを接続し、該排水配管ヘッダーの各接続口に複数のフレキシブルな枝管をそれぞれ接続すると共に、共用排水縦管から最も離れた排水配管ヘッダーの接続口に接続されるフレキシブルな枝管に対しドルゴ通気弁を接合した住宅の雑排水配管構造を特徴としている。
【０００６】
請求項２に記載された発明では、前記排水配管ヘッダーと、複数のフレキシブルな前記枝管と、前記ドルゴ通気弁とを予め組立ててユニット化した雑排水配管ユニットを設け、該雑排水配管ユニットの排水配管ヘッダーおよびフレキシブルな前記枝管を、建築現場でそれぞれ共用排水縦管および各雑排水源へ接続可能となるよう構成した住宅の雑排水配管構造を特徴としている。
【発明の効果】
【０００７】
請求項１の発明によれば、排水配管ヘッダーおよびフレキシブルな枝管という二種類の雑排水配管とドルゴ通気弁とを組合せることにより、雑排水配管の径をコンパクト化することが可能となり、住宅の狭小な床フトコロに納めることが可能となる。
【０００８】
請求項２の発明によれば、雑排水配管構造を工場などで予め組み立てられた雑排水配管ユニットとすることにより、容易に建築現場へ搬入することができるようになるため、建築現場での施工を簡易化して施工の手間を削減することが可能となり、以て、コストの低減を図ることができる。
【発明を実施するための最良の形態】
【０００９】
雑排水配管の塞がりや床フトコロへの納りなどの問題を解消するという目的を、共用排水縦管の直近に複数の接続口を有する排水配管ヘッダーを接続し、排水配管ヘッダーの各接続口に複数のフレキシブルな枝管をそれぞれ接続すると共に、共用排水縦管から最も離れた排水配管ヘッダーの接続口に接続されるフレキシブルな枝管に対しドルゴ通気弁を接
合する、という手段で実現した。
【実施例】
【００１０】
以下、本発明を具体化した実施例について、図示例と共に説明する。
【００１１】
図１は、この発明の実施例を示すものである。
【００１２】
まず、構成を説明すると、住宅内には、キッチン流し台や、洗面台、ユニットバス、洗濯機防水パンなどの各種の雑排水源１が設けられる。一方、住宅内には共用排水縦管２が設けられる。そして、これら各雑排水源１からの雑排水を共用排水縦管２へ排出させるための雑排水配管構造３が設けられる。
【００１３】
そこで、この実施例の雑排水配管構造３では、共用排水縦管２の直近に複数の接続口５を有する排水配管ヘッダー６を接続する。この排水配管ヘッダー６は、硬質塩化ビニールなどの合成樹脂からなるＬ型継手７が１個と、同様の素材からなる複数（所要数）のＹ型継手８とを順番に連結して接着などにより接合した構造を備えている。ここで、Ｙ型継手８には、ト字状のものを使用して排水配管ヘッダー６が直線状となるように連結するのが好ましい。必要に応じ、Ｉ型継手９を介在させることもできる。排水配管ヘッダー６の口径は、一般的な口径である７５ｍｍφのものよりも一回り小径の、例えば、５０ｍｍφなどとする。そして、Ｌ型継手７とＹ型継手８の各開放端とをそれぞれ接続口５とする。この際、Ｌ型継手７の開放端の接続口５は、ほぼ水平方向を向くようにするのが接続上好ましい。また、Ｙ型継手８の分岐開放端の接続口５はＬ型継手７の側へ向くようにするのが接続上好ましい。そして、排水配管ヘッダー６のＬ型継手７から最も離れた接続口５を共用排水縦管２に対して直接的に接続する。即ち、直線状の排水配管ヘッダー６の端部（Ｌ型継手７とは反対端）を、共用排水縦管２との接続口５とする。排水配管ヘッダー６は、共用排水縦管２の側部に接続する。この接続には、接続用継手１０などを用いる。また、排水配管ヘッダー６は、Ｌ型継手７側の端部が水平よりも若干高くなるように勾配を付けて配置する。そのために、排水配管ヘッダー６のＬ型継手７側の端部を高さ調整可能な支持金具３０を用いて支持する。
【００１４】
そして、排水配管ヘッダー６の残りの各接続口５に複数のフレキシブルな枝管１１をそれぞれ接続する。即ち、Ｌ型継手７の開放端とＹ型継手８の各分岐開放端との接続口５に、フレキシブルな枝管１１の一端部を連結して、接着したり止め金を用いて固定するなどにより接続する。フレキシブルな枝管１１は所要の長さを確保しておくようにする。
【００１５】
更に、共用排水縦管２から最も離れた排水配管ヘッダー６の接続口５に接続されるフレキシブルな枝管１１に対しドルゴ通気弁２０などの通気弁を接合する。ドルゴ通気弁２０は、例えば、Ｌ型継手７の開放端の接続口５に接続された枝管１１に対し、直接、または、別のフレキシブルな枝管２１を介して接合するようにしても良い。また、上記接合の位置は、上記の枝管１１の端部または中間部のどこでも良い（この実施例では雑排水源１との接続側の端部となってる）。上記の接合部分には分岐継手２２などを用いても良い。ここで、ドルゴ通気弁２０とは、（注、ドルゴ通気弁２０についての追加説明を御願いします。）したものである。
【００１６】
そして、上記の排水配管ヘッダー６と、複数のフレキシブルな枝管１１と、ドルゴ通気弁２０とを、予め工場で組立ててユニット化し、雑排水配管ユニット２５とする。この雑排水配管ユニット２５の排水配管ヘッダー６およびフレキシブルな枝管１１を、建築現場でそれぞれ共用排水縦管２および各雑排水源１へ接続可能となるよう構成する。なお、フレキシブルな枝管１１の開放された他端部（接続端２６）と各雑排水源１との接続には、接着や止め金などの手段を用いる。
【００１７】
次に、この実施例の作用について説明する。
【００１８】
排水配管ヘッダー６と、複数のフレキシブルな枝管１１と、ドルゴ通気弁２０とを予め工場で組立てて雑排水配管ユニット２５とする。この雑排水配管ユニット２５を住宅の建築現場へ搬入し、排水配管ヘッダー６を共用排水縦管２へ接続すると共に、フレキシブルな枝管１１の開放された他端部（接続端２６）を各雑排水源１へ接続する。以上により、各雑排水源１から共用排水縦管２への雑排水配管構造３が構築される。
【００１９】
この雑排水配管構造３では、各雑排水源１からの雑排水は、対応するフレキシブルな枝管１１と排水配管ヘッダー６とを順に通って共用排水縦管２へと排出される。
【００２０】
そして、複数の雑排水源１からの雑排水が一度に合流して排水配管ヘッダー６やフレキシブルな枝管１１などが塞がれるようなことがあった場合には、共用排水縦管２から最も離れた排水配管ヘッダー６の接続口５に接続されるフレキシブルな枝管１１に接合されたドルゴ通気弁２０により雑排水配管構造３の最上流から空気が流入することで、雑排水の停滞を防ぎ、且つ、サイホン現象により、各雑排水源１のトラップ配水管３１の封水を切ってしまうようなことも防止することができる。よって、排水配管ヘッダー６の口径を一般的な口径である７５ｍｍφのものよりも一回り小径の、例えば、５０ｍｍφなどとしても支障なく機能させるとができるようになる。
【００２１】
以上述べたように、この実施例によれば、排水配管ヘッダー６およびフレキシブルな枝管１１という二種類の雑排水配管とドルゴ通気弁２０とを組合せることにより、雑排水配管の径をコンパクト化することが可能となり、住宅の狭小な床フトコロに納めることが可能となる。
【００２２】
また、雑排水配管構造３を工場などで予め組み立てられた雑排水配管ユニット２５とすることにより、容易に建築現場へ搬入することができるようになるため、建築現場での施工を簡易化して施工の手間を削減することが可能となり、以て、コストの低減を図ることができる。
【００２３】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。
【図面の簡単な説明】
【００２４】
【図１】本発明の実施例の全体斜視図である。
【符号の説明】
【００２５】
２    共用排水縦管
５    接続口
６    排水配管ヘッダー
１１  フレキシブルな枝管
２０  ドルゴ通気弁
２５  雑排水配管ユニット
【図１】
2006214243.tif 000003